(57)【特許請求の範囲】
【請求項１】
ＩＣカードが装着可能でしかも携帯が可能な遠隔操作器を備え、この遠隔操作器と車両側の受信手段との交信情報に基づいて車両側の負荷を制御するようにしたものにおいて、
前記遠隔操作器に、
前記車両側の負荷を制御する操作手段と、
この操作手段が操作されたことに基づいて、プリペイドカード仕様のＩＣカードがこの遠隔操作器に装着された状態で該ＩＣカードの金額データを読み込む金額データ読み込み手段と、
報知手段と、
前記読み込んだ金額データに基づいて金額情報を報知すべく前記報知手段を駆動制御する報知駆動制御手段とを設けたことを特徴とする車両用遠隔操作装置。
【発明の詳細な説明】
【０００１】
【発明の属する技術分野】
本発明は、ＩＣカード（ＣＰＵを内蔵していないメモリＩＣカードも含む概念である）が装着可能な遠隔操作器を備え、この遠隔操作器と車両側の受信手段との交信情報に基づいて車両側の負荷を制御するようにした車両用遠隔操作装置に関する。
【０００２】
【発明が解決しようとする課題】
最近、車両においては、車両側に受信手段を設ける一方、使用者（乗員）が携帯できる遠隔操作器を備えたものがある。この遠隔操作器は受信手段と交信ができるようになっており、この遠隔操作器を操作することによりワイヤレスで受信手段との間で信号が交信され、これによって、受信手段により車両側の負荷例えばドアロック装置を制御するようにしている。
【０００３】
ところで、最近では、ＩＤデータを記憶したＩＣカードを遠隔操作器に装着して上述の送受信を行なって負荷の制御をできるようにすることが考えられている。この場合、このＩＣカードを装着した状態で遠隔操作器を操作すると、ＩＣカードに記憶されたＩＤデータを利用して固有の信号を送信し、この信号に含まれるＩＤデータが、受信手段において予め記憶したＩＤデータと一致したときに所定の動作すなわち負荷の制御を行なうようにする。
【０００４】
一方、プリペイドカードをＩＣカードから構成し、このＩＣカードにより各種の料金を支払うことが考えられている。例えば、高速道路の料金所での料金支払いをこのＩＣカードにて行なうことが検討されていると共に、他に、駐車場での料金支払いや、ファーストフード店におけるドライブスルーでの料金支払いに利用することも考えられている。この場合、料金を受け取る側に設置された課金装置により、ＩＣカードと交信をして料金データを受け渡しする。このとき、ＩＣカードが内蔵するメモリに支払った金額データが記憶される、あるいは、残金データから支払い金額が減ぜられて残金データが更新記憶されるようになる。
【０００５】
ところで、ＩＣカードは、テレフォンカード（磁気カード）等とは異なり、使用度数を外部が目視できないことから、ＩＣカードにおける現在の金額データ（残金データあるは使用金額データ）を知りたい場合には、上述したような特定の場所に備え付けられた課金装置でしか知ることができず、不便となることが予測される。
【０００６】
本発明は上述の事情に鑑みてなされたものであり、その目的は、車両を使用する際に利用することが多いプリペイドカード仕様のＩＣカードの金額情報を、手軽に且つ容易に知ることができる車両用遠隔操作装置を提供するにある。
【０００７】
【課題を解決するための手段】
本発明は、ＩＣカードが装着可能でしかも携帯が可能な遠隔操作器を備え、この遠隔操作器と車両側の受信手段との交信情報に基づいて車両側の負荷を制御するようにしたものにおいて、
前記遠隔操作器に、前記車両側の負荷を制御する操作手段と、この操作手段が操作されたことに基づいて、プリペイドカード仕様のＩＣカードがこの遠隔操作器に装着された状態で該ＩＣカードの金額データを読み込む金額データ読み込み手段と、報知手段と、前記読み込んだ金額データに基づいて金額情報を報知すべく前記報知手段を駆動制御する報知駆動制御手段とを設けたところに特徴を有する。
【０００８】
上記構成によれば、操作手段が操作されると、ＩＣカードの金額データは金額データ読み込み手段により読み込まれ、報知駆動制御手段により、その金額データに基づいて金額情報が報知器により報知される。
【０００９】
【発明の実施の形態】
以下、本発明の一実施例について図面を参照しながら説明する。
図２には、携帯可能な遠隔操作器１およびこれに装着されるＩＣカード２の外観が示されている。この図２において、ＩＣカード２は、プリペイドカードとして構成されたもので、ＣＰＵおよびＥＥＰＲＯＭなどを含んで成るＩＣチップ２ａが埋設されている。上記ＩＣカード２には、外部機器との間で信号の授受および電力の供給を受けるための信号送受手段（図１に符号１１を付して示す）が設けられるものであるが、このような信号送受手段としては、通常のコンタクト方式の他に、電磁結合、光結合、静電結合などを利用した非接触方式を採用することができる。
【００１０】
遠隔操作器１の本体ケース３は、ＩＣカード２を内部に収納した状態で装着するホルダとして構成されたもので、端面にＩＣカード２を挿入するためのスリット３ａを備えた薄形の矩形容器状に形成されている。この本体ケース３の上面には、ロックスイッチ４、アンロックスイッチ５、トランクオプナスイッチ６および表示スイッチ７が設けられている。ロックスイッチ４は操作手段に相当する。尚、これらのスイッチ４〜７は、メンブレインスイッチなどを利用することにより薄形化が図られている。また、本体ケース３には、ボタン形の電池８（図１参照）が図示しないカートリッジを介して装着される構成となっている。
【００１１】
図１には、上記遠隔操作器１およびＩＣカード２の電気的構成、並びにそれらを利用した信号伝送システムの電気的構成が機能ブロックの組み合わせにて示されており、以下これについて説明する。
ＩＣカード２は、機能ブロックにて表現した場合、ＩＣチップ２ａ内のＣＰＵを中心に構成された制御部９と、ＩＣチップ２ａ内のＥＥＰＲＯＭにより構成された記憶部１０と、前述した信号送受手段１１とより成る。上記記憶部１０は、所定の記憶エリアに対し当該ＩＣカード２の所有者に固有のＩＤデータなどが書き替え不能な状態で記憶されるものであるが、他の記憶エリアには金額やカードの有効期限についてのデータを書き込み得るように構成される。
【００１２】
遠隔操作器１の本体ケース３には、前記ロックスイッチ４、アンロックスイッチ５、トランクオプナスイッチ６、表示スイッチ７および電池８の他に、金額データ読み込み手段および報知駆動制御手段としての制御装置１２、通信装置１３、暗号化装置１４、増幅装置１５、空中伝播信号発生装置１６、いずれも報知手段に相当する表示器１７およびブザー１８が設けられる。上記表示器１７は、例えばそれぞれＬＥＤからなる複数個の単位表示素子１７ａを列設して構成されている。
【００１３】
上記制御装置１２は、マイクロコンピュータを主体に構成されたもので、通信装置１３、暗号化装置１４、増幅装置１５および空中伝播信号発生装置１６に対する電池８の出力の供給制御、並びに各スイッチ４〜７の操作に応じた後述のような制御を行うようになっている。前記通信装置１３は、ＩＣカード２が装着された状態において、当該ＩＣカード２に電源を供給すると共に、制御部９に対し信号送受手段１１を通じてアクセス可能な状態を呈する構成となっている。
【００１４】
暗号化装置１４は、ＩＣカード２側の記憶部１０に記憶されているＩＤデータが通信装置１３を通じて読み出された場合に、そのＩＤデータにスクランブルをかけて暗号化する構成となっている。尚、この暗号化装置１４は、前記制御装置１２を構成するマイクロコンピュータのプログラムにより実現できる。
【００１５】
増幅装置１５は、暗号化装置１４から出力される暗号化信号（ＩＤデータを含む信号）と制御装置１２から後述のように出力される操作信号を組み合わせると共に、その組み合わせ信号を増幅して空中伝播信号発生装置１６に与える構成となっている。空中伝播信号発生装置１６は、増幅装置１５から与えられる信号に変調をかけると共に、その変調信号を空中伝播信号、例えば電波信号として送信する構成となっている。尚、上記空中伝播信号としては、電波に限らず光、超音波などを利用できるものであるが、本実施例のように電波を利用する場合には、空中伝播信号発生装置１６に送信用アンテナが含まれることになる。
【００１６】
さて、前記制御装置１２は、ロックスイッチ４、アンロックスイッチ５、トランクオプナスイッチ６の何れかがオンされたときに、ＩＣカード２の制御部９に対して記憶部１０に記憶されたＩＤデータをアンサバックすることを要求するリクエスト信号を発生するものであり、そのリクエスト信号は、通信装置１３を通じてＩＣカード２側に送信される。また、制御装置１２は、ロックスイッチ４が操作されたときには、ロック操作信号を増幅装置１５に与えるものであり、従ってこの場合には、当該増幅装置１５が、上記ロック操作信号とＩＤデータを含む暗号化信号との組み合わせ信号を増幅して出力するようになり、これに応じて空中伝播信号発生装置１６から暗号化されたＩＤデータを含むロック信号Ｓａが電波信号により送信されるようになる。
【００１７】
さらに、制御装置１２は、アンロックスイッチ５およびトランクオプナスイッチ６が操作された各場合には、アンロック操作信号若しくはトランクオプナ操作信号を増幅装置１５に与えるものであり、従って上記各場合には、空中電波信号発生装置１６から暗号化されたＩＤデータを含むアンロック信号Ｓｂ若しくはトランクオプナ信号Ｓｃが電波信号により送信されることになる。
【００１８】
一方、受信手段たる受信ユニット１９は、自動車に搭載されるものであり、車両側の受信手段たる受信装置２０と負荷制御手段としてのＩＤデータ照合装置２１とを組み合わせた構成となっている。この場合、上記受信装置２０は、遠隔操作器１から送信される電波信号（ロック信号Ｓａ、アンロック信号Ｓｂ、トランクオプナ信号Ｓｃ）或いは同じ周波数帯の他の電波信号を受信したときに、その受信信号を復調してＩＤデータ照合装置２１に与えるようになっている。
【００１９】
ＩＤデータ照合装置２１は、受信装置２０が受信した電波信号中に含まれるＩＤデータを解読して予め記憶（登録）されたＩＤデータと照合し、両者が一致したときに、そのＩＤデータと組み合わされている信号（ロック信号Ｓａ、アンロック信号Ｓｂ、トランクオプナ信号Ｓｃの何れか）を受信したものと判断し、その受信信号に応じた負荷制御信号を発生する構成となっている。
【００２０】
具体的には、ＩＤデータ照合装置２１は、ロック信号Ｓａを受信したと判断したときには、自動車用ドアロック機構（図示せず）のロックおよびアンロック制御を行うドアロック制御装置２２（負荷）に対してロック動作を指令する負荷制御信号を出力し、アンロック信号Ｓｂを受信したと判断したときには、上記ドアロック制御装置２２に対してアンロック動作を指令する負荷制御信号を出力し、トランクオプナ信号Ｓｃを受信したと判断したときには、自動車用トランクリッドロック機構（図示せず）のアンロック制御を行うトランクオプナ制御装置２３（負荷）に対してアンロック動作（トランクオープン動作）を指令する負荷制御信号を出力する。
【００２１】
ところで、上記プリペイドカード仕様のＩＣカード２は、遠隔操作器１から外された状態で、高速道路の料金所や、駐車場の料金支払い所や、ファーストフード店などの課金装置と交信して料金の支払いを行なうものであり、このとき、支払い金額データが課金装置からＩＣカード２の記憶部１０に書き込まれるようになっている。
【００２２】
さて、ＩＣカード２の金額情報例えば残金情報は次のようにして表示器１７の表示により報知されると共に、ブザー１８のブザー音出力により報知される。図３には、表示スイッチ７がオン操作されたときの遠隔操作器１の制御装置１２の制御動作を示している。すなわち、ステップＳ１では、次の処理を行なっている。表示スイッチ７がオン操作されると、制御装置１２は、残金データアンサバック信号Ｓｍａを出力し、通信装置１３を経てＩＣカード２の信号送受手段１１に出力する。
【００２３】
この場合、ＩＣカード２側では、上記残金データアンサバック信号Ｓｍａを信号送受手段１１を受けて制御部９に与える。制御部９はこの信号に基づいて記憶部１０に格納されている残金データを読み出し、その残金データを信号送受手段１１から遠隔操作器１の通信装置１３に出力する。
【００２４】
遠隔操作器１の制御装置１２は、この残金データが通信装置１３から与えられると、つまりＩＣカード２の残金データを読み出すと、ステップＳ２で示すように、その残金データを残金情報として表示器１７に表示する。この場合、ＩＣカード２が使用可能な金額が全額残っている場合には、表示器１７の全単位表示素子１７ａを発光させ、支払いがあった状態では、最初の使用可能な金額に対して、支払いした金額の割合分の数の単位表示素子１７ａを消灯し、つまり、残金の割合分に相当する数の単位表示素子１７ａを発光させるようになっている。
【００２５】
また、図４にはロックスイッチ４がオン操作されたときにおける残金情報報知の制御動作を示している。すなわち、ステップＧ１では、前述したロック制御を行ない、そしてステップＧ２では、前述のステップＳ１と同様にＩＣカード２から残金データを読み込み、そして、ステップＧ３では、残金が一定金額以上であるか否かを判断し、一定金額以上でないときには（残金が少ないときには）、ステップＧ４に移行してブザー１８を駆動して報知音を出力させ、もって残金が少ないことを報知する。
【００２６】
このような本実施例によれば、表示スイッチ７が操作されると、ＩＣカード２の金額データが遠隔操作器１の金額データ読み込み手段たる制御装置１２により読み込まれ、報知駆動制御手段たる制御装置１２により、その金額データに基づいて金額情報を、報知器たる表示器１７に表示し、もって報知する。この結果、車両を使用する際に利用することが多いプリペイドカード仕様のＩＣカード２の金額情報を、遠隔操作器１により手軽に且つ容易に知ることができる。
【００２７】
特に、本実施例によれば、ロックスイッチ４を操作手段として利用するようにしたので、ロックスイッチ４を使用する都度、ＩＣカード２の金額情報を知ることができ、便利である。尚、アンロックスイッチ５、トランクオプナスイッチ６を操作手段として利用することも可能である。
【００２８】
本発明は、上述した実施例に限定されず、次のようにしても良い。すなわち、ＩＣカードのＩＤデータを利用してロックおよびアンロックを行なうようにしたが、遠隔操作器自体がＩＤデータを保有していてもよい。また、遠隔操作器に時計機能を持たせるようにすれば、ＩＣカードの有効期限をチェックすることも可能である。さらにまた、ＩＣカードには挿入方向性があるから、遠隔操作器に挿入方向の正誤を報知手段に報知させるようにしても良い。さらに、車両側の負荷としてはエンジンスターターでも良い。
【００２９】
【発明の効果】
本発明は以上の説明から明らかなように、携帯が可能で車両側の負荷をワイヤレス交信により制御するようにした遠隔操作器に、前記車両側の負荷を制御する操作手段と、この操作手段が操作されたことに基づいて、プリペイドカード仕様のＩＣカードがこの遠隔操作器に装着された状態で該ＩＣカードの金額データを読み込む金額データ読み込み手段と、報知手段と、前記読み込んだ金額データに基づいて金額情報を報知すべく前記報知手段を駆動制御する報知駆動制御手段とを設けたから、車両を使用する際に利用することが多いプリペイドカード仕様のＩＣカードの金額情報を、遠隔操作器により手軽に且つ容易に知ることができる。
【図面の簡単な説明】
【図１】本発明の一実施例の電気的構成を示す機能ブロック図
【図２】遠隔操作器およびＩＣカードの斜視図
【図３】制御動作を示すフローチャート
【図４】制御動作を示すフローチャート
【符号の説明】
１は遠隔操作器、２はＩＣカード、４はロックスイッチ（操作手段）、７は表示スイッチ（操作手段）、９は制御部、１０は記憶部、１２は制御装置（金額データ読み込み手段、報知駆動制御手段）、１７は表示器（報知手段）、１７ａは単位表示素子、１８はブザー（報知手段）、１９は受信ユニット（受信手段）、２２はドアロック制御装置（負荷）、２３はトランクオプナ制御装置（負荷）を示す。
【図１】
0003699184.tif 000002
【図２】
0003699184.tif 000003
【図３】
0003699184.tif 000004
【図４】
0003699184.tif 000005